【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信の方法であって、
ビームフォーミング手順と関連付けられる情報を基地局から受信するステップであって、前記情報が、
前記ビームフォーミング手順の間に使用するサブフレーム構造と、
前記ビームフォーミング手順の間に前記基地局が使用する第1のコードブック情報であって、基地局コードブックの中のビーム方向の第1のサブセットを示す前記第1のコードブック情報と、
前記ビームフォーミング手順の間に前記UEが使用する第2のコードブック情報であって、前記第2のコードブック情報が、UEコードブックの中のビーム方向の第2のサブセットを示し、ビーム方向の前記第2のサブセットの中の別個のグループが各々、前記UEの異なるアンテナサブアレイと関連付けられる、前記第2のコードブック情報と
のうちの少なくとも1つを含む、ステップと、
前記基地局コードブックの中のビーム方向の前記第1のサブセットおよび前記UEコードブックの中のビーム方向の前記第2のサブセットに基づいて、すべての潜在的なアクセスビームを決定するステップであって、前記すべての潜在的なアクセスビームを決定することが、
(i)前記サブフレーム構造の中の第1の連続するシンボルブロックの時間長の間、前記UEの第1のアンテナサブアレイと関連付けられる第1のビーム方向を固定すること、
(ii)前記第1の連続するシンボルブロックの間、ビーム方向の前記第1のサブセットの中の各ビーム方向を前記UEの第1のアンテナサブアレイと関連付けられる前記第1のビーム方向に適用すること、および
(iii)前記潜在的なアクセスビームのすべてが決定されるまで、ビーム方向の前記第1のサブセットおよびビーム方向の前記第2のサブセットの中の各ビーム方向を使用して、(i)および(ii)を繰り返すこと
によって行われる、決定するステップと、
前記サブフレーム構造、前記第1のコードブック情報、および前記第2のコードブック情報のうちの少なくとも1つに基づいて、前記基地局と通信する際に使用するためのアクセスビームを決定するステップと、
前記決定されたアクセスビームを使用して前記基地局と通信するステップとを備える、方法。
【請求項２】
前記アクセスビームを決定する前記ステップがさらに、
前記潜在的なアクセスビームのうちの1つと関連付けられる基準信号測定結果が閾値の基準を満たすとき、前記アクセスビームとして使用するために前記潜在的なアクセスビームのうちの前記1つを選択するステップをさらに備える、請求項1に記載の方法。
【請求項３】
前記アクセスビームを決定する前記ステップがさらに、
前記基準信号測定結果に関する情報を前記基地局に送信するステップを備える、請求項2に記載の方法。
【請求項４】
前記UEと関連付けられる尺度情報を決定するステップと、
前記UEと関連付けられる前記尺度情報を前記基地局に送信するステップとをさらに備え、前記尺度情報が、前記UEと関連付けられる全地球測位システム(GPS)情報、前記UEと関連付けられるジャイロスコープ情報、または前記UEと関連付けられる加速度計情報のうちの少なくとも1つを含む、請求項1に記載の方法。
【請求項５】
前記基地局から受信される前記ビームフォーミング手順と関連付けられる前記情報が、前記尺度情報に少なくとも一部基づく、請求項4に記載の方法。
【請求項６】
ユーザ機器(UE)によるワイヤレス通信のための装置であって、
ビームフォーミング手順と関連付けられる情報を基地局から受信するための手段であって、前記情報が、
前記ビームフォーミング手順の間に使用するサブフレーム構造と、
前記ビームフォーミング手順の間に前記基地局が使用する第1のコードブック情報であって、基地局コードブックの中のビーム方向の第1のサブセットを示す前記第1のコードブック情報と、
前記ビームフォーミング手順の間に前記UEが使用する第2のコードブック情報であって、前記第2のコードブック情報が、UEコードブックの中のビーム方向の第2のサブセットを示し、ビーム方向の前記第2のサブセットの中の別個のグループが各々、前記UEの異なるアンテナサブアレイと関連付けられる、前記第2のコードブック情報と
のうちの少なくとも1つを含む、受信するための手段と、
前記基地局コードブックの中のビーム方向の前記第1のサブセットおよび前記UEコードブックの中のビーム方向の前記第2のサブセットに基づいて、すべての潜在的なアクセスビームを決定するための手段であって、前記すべての潜在的なアクセスビームを決定することが、
(i)前記サブフレーム構造の中の第1の連続するシンボルブロックの時間長の間、前記UEの第1のアンテナサブアレイと関連付けられる第1のビーム方向を固定すること、
(ii)前記第1の連続するシンボルブロックの間、ビーム方向の前記第1のサブセットの中の各ビーム方向を前記UEの第1のアンテナサブアレイと関連付けられる前記第1のビーム方向に適用すること、および
(iii)前記潜在的なアクセスビームのすべてが決定されるまで、ビーム方向の前記第1のサブセットおよびビーム方向の前記第2のサブセットの中の各ビーム方向を使用して、(i)および(ii)を繰り返すことによって行われる、決定するための手段と、
前記サブフレーム構造、前記第1のコードブック情報、および前記第2のコードブック情報のうちの少なくとも1つに基づいて、前記基地局と通信する際に使用するためのアクセスビームを決定するための手段、
前記決定されたアクセスビームを使用して前記基地局と通信するための手段と
を備える、装置。
【請求項７】
前記アクセスビームを決定するための手段がさらに、
前記潜在的なアクセスビームのうちの1つと関連付けられる基準信号測定結果が閾値の基準を満たすとき、前記アクセスビームとして使用するために前記潜在的なアクセスビームのうちの前記1つを選択するための手段を備える、請求項6に記載の装置。
【請求項８】
基地局におけるワイヤレス通信の方法であって、
ビームフォーミング手順と関連付けられる情報をネットワークエンティティから受信するステップであって、前記情報が、
前記ビームフォーミング手順の間に使用するサブフレーム構造と、
前記ビームフォーミング手順の間に前記基地局が使用する第1のコードブック情報であって、基地局コードブックの中のビーム方向の第1のサブセットを示す前記第1のコードブック情報と、
前記ビームフォーミング手順の間にユーザ機器(UE)により使用されるべき第2のコードブック情報であって、前記第2のコードブック情報が、UEコードブックの中のビーム方向の第2のサブセットを示し、ビーム方向の前記第2のサブセットの中の別個のグループが各々、前記UEの異なるアンテナサブアレイと関連付けられる、前記第2のコードブック情報と
を含む、ステップと、
前記基地局コードブックの中のビーム方向の前記第1のサブセットおよび前記UEコードブックの中のビーム方向の前記第2のサブセットに基づいて、すべての潜在的なアクセスビームを決定するステップであって、前記すべての潜在的なアクセスビームを決定することが、
(i)前記サブフレーム構造の中の第1の連続するシンボルブロックの時間長の間、前記UEの第1のアンテナサブアレイと関連付けられる第1のビーム方向を固定すること、
(ii)前記第1の連続するシンボルブロックの間、ビーム方向の前記第1のサブセットの中の各ビーム方向を前記UEの第1のアンテナサブアレイと関連付けられる前記第1のビーム方向に適用すること、および
(iii)前記潜在的なアクセスビームのすべてが決定されるまで、ビーム方向の前記第1のサブセットおよびビーム方向の前記第2のサブセットの中の各ビーム方向を使用して、(i)および(ii)を繰り返すこと
によって行われる、決定するステップと、
前記サブフレーム構造、前記第1のコードブック情報、および前記第2のコードブック情報のうちの少なくとも1つに基づいて、前記UEと通信する際に使用するためのアクセスビームを決定するステップと、
前記決定されたアクセスビームを使用して前記UEと通信するステップとを備える、方法。
【請求項９】
前記アクセスビームを決定する前記ステップがさらに、
前記潜在的なアクセスビームのうちの1つと関連付けられる基準信号測定結果が閾値の基準を満たすとき、前記アクセスビームとして使用するために前記潜在的なアクセスビームのうちの前記1つを選択するステップを備える、請求項8に記載の方法。
【請求項１０】
前記アクセスビームを決定する前記ステップがさらに、
前記基準信号測定結果に関する情報を前記UEから受信するステップを備える、請求項9に記載の方法。
【請求項１１】
前記ビームフォーミング手順と関連付けられる前記情報の少なくとも一部を前記UEに送信するステップをさらに備える、請求項8に記載の方法。
【請求項１２】
前記基地局と関連付けられる第1の尺度情報を決定するステップと、
前記UEと関連付けられる第2の尺度情報を受信するステップであって、前記第2の尺度情報が、前記UEと関連付けられる全地球測位システム(GPS)情報、前記UEと関連付けられるジャイロスコープ情報、または前記UEと関連付けられる加速度計情報のうちの少なくとも1つを含む、ステップと、
前記第1の尺度情報および前記第2の尺度情報を前記ネットワークエンティティに送信するステップとをさらに備える、請求項8に記載の方法。
【請求項１３】
前記ネットワークエンティティから受信される前記ビームフォーミング手順と関連付けられる前記情報が、前記第1の尺度情報および前記第2の尺度情報に基づく、請求項12に記載の方法。
【請求項１４】
基地局によるワイヤレス通信のための装置であって、
ビームフォーミング手順と関連付けられる情報をネットワークエンティティから受信するための手段であって、前記情報が、
前記ビームフォーミング手順の間に使用するサブフレーム構造と、
前記ビームフォーミング手順の間に前記基地局が使用する第1のコードブック情報であって、基地局コードブックの中のビーム方向の第1のサブセットを示す前記第1のコードブック情報と、
前記ビームフォーミング手順の間にユーザ機器(UE)により使用されるべき第2のコードブック情報であって、前記第2のコードブック情報が、UEコードブックの中のビーム方向の第2のサブセットを示し、ビーム方向の前記第2のサブセットの中の別個のグループが各々、前記UEの異なるアンテナサブアレイと関連付けられる、前記第2のコードブック情報と
を含む、受信するための手段と、
前記基地局コードブックの中のビーム方向の前記第1のサブセットおよび前記UEコードブックの中のビーム方向の前記第2のサブセットに基づいて、すべての潜在的なアクセスビームを決定するための手段であって、前記すべての潜在的なアクセスビームを決定することが、
(i)前記サブフレーム構造の中の第1の連続するシンボルブロックの時間長の間、前記UEの第1のアンテナサブアレイと関連付けられる第1のビーム方向を固定すること、
(ii)前記第1の連続するシンボルブロックの間、ビーム方向の前記第1のサブセットの中の各ビーム方向を前記UEの第1のアンテナサブアレイと関連付けられる前記第1のビーム方向に適用すること、および
(iii)前記潜在的なアクセスビームのすべてが決定されるまで、ビーム方向の前記第1のサブセットおよびビーム方向の前記第2のサブセットの中の各ビーム方向を使用して、(i)および(ii)を繰り返すこと
によって行われる、決定するための手段と、
前記サブフレーム構造、前記第1のコードブック情報、および前記第2のコードブック情報のうちの少なくとも1つに基づいて、前記UEと通信する際に使用するためのアクセスビームを決定するための手段と、
前記決定されたアクセスビームを使用して前記UEと通信するための手段と
を備える、装置。
【請求項１５】
請求項1から5および8から13のうちのいずれか一項に記載の方法を、コンピュータに実行させるコンピュータ可読命令を含む、コンピュータプログラム。